(57)【要約】    【課題】      通気性に優れ、長時間の使用にあたっても蒸れやふやけを引き起こしにくく、耐久性および剛性を増し、ダイカットや小巻仕上げなどの製品加工を容易にするとともに、印字装置により印字するときの印字部への移送を安定させ、所定レベルの印字品質を確保することができるリストバンドおよびリストバンド用ラベルを提供すること。    【解決手段】  人体の肌に直接触れる基材の裏面の部分をエンボス加工すること、エンボス形状の擬似接着剤層に係合する形状の台紙を仮着すること、基材の厚さを所定レベルに選定することにより柔軟性および剛性を併せ持つことができるようにすることに着目したもので、印字領域部１３に、人体を特定の個人として識別するための所望の印字情報を印字可能とし、基材２の裏面には、エンボス形状に加工したエンボス層３を形成するとともに、基材２の厚さを２００μｍ〜３００μｍとすることを特徴とする。【選択図】        図３ 
2005080851.tif 000002
【特許請求の範囲】
【請求項１】
人体の局部に巻き掛け可能な長さを有する基材の表面に印字領域部を有するリストバンドであって、
前記印字領域部に、前記人体を特定の個人として識別するための所望の印字情報を印字可能とし、
前記基材の裏面には、エンボス形状に加工したエンボス層を形成するとともに、
前記基材の厚さは、これを２００μｍ〜３００μｍとすることを特徴とするリストバンド。
【請求項２】
前記基材は、これをポリエチレンあるいはその共重合体から構成したことを特徴とする請求項１記載のリストバンド。
【請求項３】
前記エンボス層は、その粗さを＃５０〜＃２００としたことを特徴とする請求項１記載のリストバンド。
【請求項４】
前記エンボス層に、抗菌処理を施してあることを特徴とする請求項１記載のリストバンド。
【請求項５】
前記基材に、帯電防止処理を施してあることを特徴とする請求項１記載のリストバンド。
【請求項６】
前記印字領域部に、易接着処理を施してあることを特徴とする請求項１記載のリストバンド。
【請求項７】
人体の局部に巻き掛け可能な長さを有する基材の表面に印字領域部を有するリストバンドを製作可能であるとともに、この基材の裏面に台紙を仮着したリストバンド用ラベルであって、
前記印字領域部に、前記人体を特定の個人として識別するための所望の印字情報を印字可能とし、
前記基材の裏面には、エンボス形状に加工したエンボス層を形成するとともに、このエンボス層を擬似接着剤層として前記台紙と分離可能に係合させ、
前記基材の厚さは、これを２００μｍ〜３００μｍとするリストバンド用ラベル。
【発明の詳細な説明】
【技術分野】
【０００１】
本発明はリストバンドおよびリストバンド用ラベルにかかるもので、とくに人体の局部（手首、足首その他）に巻き掛けて長時間使用しても肌への刺激が少ないようにしたリストバンドおよびリストバンド用ラベルに関するものである。
【背景技術】
【０００２】
従来から、個人を識別するために手首などに巻き掛けるリストバンドが使用されている。
たとえば医療向けのリストバンドは、入院する患者や、診察あるいは検査を受ける患者の医療過誤を未然に防ぐために、氏名や血液型さらにはバーコードなどをリストバンドの本体に印字して、一度つけたら意図的に切断するなどの行為がない限り二度と外せないものとして設計されており、本人確認を容易かつ確実に行い、適正な処置を施すことができるようにしている。
こうしたリストバンドは、患者の手首や足首などの肌に直接触れる部位に長時間取り付けることが多いため、リストバンドの基材には耐久性が必要であるとともに、よりソフトに人体にフィットする柔軟なリストバンドが要求されている。とくに、自らの意思を伝えることが困難な状態にある重症の患者や新生児などの場合には、この要求が顕著である。
【０００３】
また当該リストバンドには、本人確認のための各種情報が印字され、長時間にわたって人体に取り付けられるために、擦れに対して、あるいは水はアルコールその他各種の薬品に対しても、この印字情報が視認可能に、あるいは読取り装置（図示せず）などにより認識可能に安定して定着する印字特性が求められている。とくに、バーコードや二次元コードなどによるデータを有するものでは、読取り装置との関係から安定した良好な印字品質が要求される。
リストバンドに印字を行うには、一般的には熱転写方式のバーコードプリンターなどの印字装置が使用されるが、その熱転写リボンのインクが安定的に定着する基材を選定することが必要であるとともに、プリンターにおける印字部への移送を適正に行うことができる柔らかすぎない腰（剛性）のある基材が要求される。
しかしながら、基材の素材として、ポリウレタンなどの合成樹脂を選定して構成されたリストバンドでは、バーコードプリンターなどで印字する場合に、その剛性が低く（柔らかすぎて）腰が弱いためにプリンターの印字部におけるプラテンローラーにリストバンドが巻き込むなどのジャミングを起こす可能性があるという問題がある。
さらに、剛性が不十分な基材から構成したリストバンドあるいはこれを製作するためのリストバンド用ラベルでは、プリンター移送部におけるその横連れを防ぐためのラベルガイドなどによる移送調整機構が適正に機能せず、所定の印字位置に印字することが困難であるという問題がある。
【０００４】
さらに、ポリウレタン製などの合成樹脂製基材のみで構成されたリストバンドは、バーコードプリンターなどで印字する場合に、基材の伸縮性により、印字された内容の間延びを引き起こすという問題がある。
また、熱転写リボンのインキは、ポリウレタン製などの合成樹脂製基材に対して定着性が不充分であるため、リストバンドに印字ののちに水やアルコールなどが付着して擦られると、視認しにくくなるという問題がある。
【０００５】
また、リストバンドの製作の際に患者の手首や足首などに取り付けやすい形状に加工する打抜き加工（ダイカット）する際、さらには大巻き状のリストバンド用ラベルをプリンター装填用として小巻きロールへ加工する際などにその製品加工が難しいなどの問題がある。
【０００６】
さらに、柔軟性を追求したポリウレタン製などの合成樹脂製の材質では、人体の肌に触れる面が平滑であるため、汗をかいたり、水に触れたときには、皮膚との密着性が強く、蒸れやふやけなどの問題がある。
【０００７】
なおまた、長時間人体の肌に接触することから細菌の繁殖が懸念される場合があり、リストバンドとして細菌に対する対策が必要であるという問題がある。
また、リストバンドの基材として合成樹脂素材を採用すると、その製造や加工さらには印字の際、あるいはリストバンドを台紙から剥離する際など、また実際の使用にあたってリストバンドが帯電することにより、ほこりなどを吸引して汚れる可能性があり、衛生上の対策が必要であるという問題がある。
【０００８】
【特許文献１】特開２００２−１５３４４６号公報
【発明の開示】
【発明が解決しようとする課題】
【０００９】
本発明は以上のような諸問題にかんがみなされたもので、通気性に優れ、長時間の使用にあたっても蒸れやふやけなどを引き起こしにくいリストバンドおよびリストバンド用ラベルを提供することを課題とする。
【００１０】
また本発明は、リストバンドとしての耐久性はもとより、リストバンド用ラベルの腰や丈夫さ（剛性）を増し、ダイカットや小巻仕上げなどの製品加工を容易にするとともに、印字装置により個人識別情報を印字するときの印字部への移送を安定させ、適正な印字位置で印字を行い、所定レベルの印字品質を確保することができるリストバンドおよびリストバンド用ラベルを提供することを課題とする。
【００１１】
また本発明は、安定した良好な印字品質の印字を行うことができるとともに、擦れや水の付着などによっても印字情報を良好な状態で保つことができるリストバンドおよびリストバンド用ラベルを提供することを課題とする。
【００１２】
また本発明は、通気性とともに抗菌性および帯電防止性に優れ、衛生的に使用することができるリストバンドおよびリストバンド用ラベルを提供することを課題とする。
【課題を解決するための手段】
【００１３】
すなわち本発明は、人体の肌に直接触れる基材の裏面の部分をエンボス加工することにより通気性を増すとともに蒸れやかぶれを引き起こしにくくすること、エンボス形状の擬似接着剤層に係合する形状の台紙を仮着し、剛性を持たせたラベル構成としてプリンターに装填した際の移送適性を向上させること、さらに、基材の厚さを所定レベルに選定することにより柔軟性および剛性を併せ持つことができるようにすることに着目したもので、第一の発明は、人体の局部に巻き掛け可能な長さを有する基材の表面に印字領域部を有するリストバンドであって、上記印字領域部に、上記人体を特定の個人として識別するための所望の印字情報を印字可能とし、上記基材の裏面には、エンボス形状に加工したエンボス層を形成するとともに、上記基材の厚さは、これを２００μｍ〜３００μｍとすることを特徴とするリストバンドである。
【００１４】
上記基材は、これをポリエチレンあるいはその共重合体から構成することができる。
この共重合体としては、ポリエチレンとアクリル系合成樹脂との共重合体が考えられる。
ポリエチレンおよびその共重合体は、比重が小さく軽量であるとともに、感触がソフトであり人体にフィットしやすい。また、可塑剤が添加されていないので、人体への影響が少なく、食品衛生法にも適合していてきわめて安全であり、さらに、高周波による加工、ヒートシールおよび真空成型などの加工が容易で、リストバンドに最適な材料である。
【００１５】
上記エンボス層は、その粗さを＃５０〜＃２００とすることができる。
【００１６】
上記エンボス層に、抗菌処理を施すことができる。
【００１７】
上記基材に、帯電防止処理を施すことができる。
【００１８】
上記印字領域部に、コロナ放電処理その他の易接着処理を施すことができる。
【００１９】
また第二の発明は、人体の局部に巻き掛け可能な長さを有する基材の表面に印字領域部を有するリストバンドを製作可能であるとともに、この基材の裏面に台紙を仮着したリストバンド用ラベルであって、上記印字領域部に、上記人体を特定の個人として識別するための所望の印字情報を印字可能とし、上記基材の裏面には、エンボス形状に加工したエンボス層を形成するとともに、このエンボス層を擬似接着剤層として上記台紙と分離可能に係合させ、上記基材の厚さは、これを２００μｍ〜３００μｍとするリストバンド用ラベルである。
【発明の効果】
【００２０】
本発明によるリストバンドおよびリストバンド用ラベルにおいては、バンド本体となる基材の厚さを２００μｍ〜３００μｍとし、リストバンドとしての柔軟性を保持しつつ必要な耐久性ないし剛性を得るようにした。
とくに第一の発明によれば、所定の厚さを有して耐久性を確保した基材の裏面にエンボス層を形成して人体の肌との接触性を改善した。すなわち、基材裏面が肌に直接触れる部分に凹凸部を形成したため、通気性に優れ、蒸れやふやけなどを感じにくく、長時間の使用にも耐えることができる。
さらに第二の発明によれば、リストバンドの裏面に仮着した台紙との二層構造による剛性を確保して、ダイカットや小巻仕上げなどの製品加工をしやすくすることができるとともに、個人識別情報を印字装置で印字するときの印字部への移送を安定させることができ、また適正な印字位置で印字を行うことができる。すなわち、台紙付きで、プリンター発行が可能な柔らかいリストバンドを製作することができる。
なお、台紙と基材との間のエンボス層を擬似接着剤層とすることにより、リストバンドとしての使用前の状態ではリストバンドと台紙との一体化を保証し、使用にあたってリストバンドを台紙から剥離分離したのちは、人体に直接接触するリストバンドの裏面の接着性を事実上なくすことが可能であり、通気性および接触良好性を保持しておくことができる。
【００２１】
なお、熱転写リボンのインキと相性のよいポリエチレンあるいはその共重合体など合成樹脂製のフィルム基材を採用可能として、蒸れや水の付着などによっても印字情報の品質を良好に保持可能である。また印字領域部に、コロナ放電処理その他の易接着処理を施すことによりインキの定着性を向上させ、さらに印字安定性ないし品質を改善することができる。
また、エンボス層に抗菌処理を施すこと、あるいは基材に帯電防止処理を施すことなどにより衛生的にも優れたリストバンドとすることができる。
【発明を実施するための最良の形態】
【００２２】
本発明は、基材と台紙とをエンボス層（エンボス形状の擬似接着剤層）を介して仮着するとともに、基材の厚さおよびエンボス層の粗さを限定することにより、リストバンドおよびリストバンド用ラベルに要求される耐久性、剛性、通気性、印字安定性その他の諸特性を確保可能とした。
【実施例】
【００２３】
つぎに本発明の実施例によるリストバンド１１（第二の発明）およびリストバンド用ラベル１（第一の発明）を図１ないし図５にもとづき説明する。
図１は、リストバンド用ラベル１の平面図、図２は、図１のＩＩ−ＩＩ線断面図であって、リストバンド用ラベル１は、細長い帯状を呈して、ロール状に巻回可能なものであって、とくに図２に示すように、基材２と、擬似接着剤層３（エンボス層４）と、台紙５と、を有する。台紙５には、剥離剤層６を形成し、擬似接着剤層３との間の分離を容易としている。すなわち、基材２の裏面に、エンボス形状に加工したエンボス層４を形成するとともに、このエンボス層４を擬似接着剤層３として台紙５と分離可能に係合させている。
【００２４】
基材２は、ポリエチレン（ＰＥ）あるいはその共重合体などの合成樹脂製のフィルムからこれを構成し、柔らかくかつ耐久性を有するものである。この基材２の上面（表面）には、個人識別用の所望の印字情報７を印字可能としてあって、個人ないし患者を特定可能とする。
なお基材２に、帯電防止剤の練り込み、あるいは帯電防止処理コートなど任意の帯電防止処理を施してほこりなどによる汚れを防止可能とすることができる。
帯電防止剤としては、非イオン系のポリオキシエチレンアルキルアミン、ポリオキシエチレンアルキルアミド、ポリオキシエチレンアルキルエーテル、ポリオキシエチレンアルキルフェニルエーテル、グリセリン脂肪酸エステル、ソルビタン脂肪酸エステル、アニオン系のアルキルスルホネート、アルキルベンゼンスルホネート、アルキルサルフェートアルキルホスフェート、カチオン系の第４級アンモニウムクロライド、第４級アンモニウムサルフェート、第４級アンモニウムナイトレート、両性系のアルキルベタイン型、アルキルイミダゾリン型、アルキルアラニン型、導電性樹脂のポリビニルベンジル型カチオン、ポリアクリル酸型カチオン、などがある。
【００２５】
擬似接着剤層３は、基材２とエンボス加工を施した台紙５との間に、たとえばポリエチレン、ポリプロピレン、エチレンビニルアセテート（ＥＶＡ）、アイオノマーなどを公知の技術である押出しラミネーション技術によって流し込み、基材２と台紙５とを冷却しながら圧着して形成したものである。
したがって、このようなエンボス形状の擬似接着剤層３および基材２は、ポリエチレンあるいはその共重合体などから互いに同素材によりこれを形成する
たとえば、基材２の材料がポリエチレンのときには、擬似接着剤層３の材料にもポリエチレンを採用し、その結合力が強く、台紙５の上面は剥離剤層６が形成されているので、基材２を台紙５から容易に剥離して分離可能である。もちろん、擬似接着剤層３の特性によって剥離材層６を間に介在させない構成も採用することができる。
【００２６】
エンボス層４は、エンボス加工を施した台紙５と基材２との間に擬似接着剤層３の形成とともに擬似接着剤層３の表面を所定の粗さ（後述）で凹凸形状に形成したもので、人体の肌への接触性ないし通気性を改善するためのものである。
基材２への帯電防止処理とともに、このエンボス層４にも帯電防止処理コートその他の帯電防止処理を施すことが望ましい。
さらに、エンボス層４ないしその擬似接着剤層３に各種の抗菌剤を混合することにより、人体の肌に接触した部分の細菌の繁殖を抑制することができる。
【００２７】
台紙５は、基材２に対向する側の面、すなわちその上面をエンボス加工した強靱で加工しやすいＰＥＴ（ポリエチレンテレフタラート）材質のものを採用しているが、ポリプロピレンでもよく、通常の台紙の基材材料であるグラシン紙やクラフト紙などにエンボス加工を施して、押出しラミネーション加工により処理を行うことができるものであれば採用可能である。なお、台紙５の裏面自体は平滑であることが望ましいが、後述するバーコードプリンター２１（図５）などの移送あるいは印字上に支障がなければ、若干のエンボス形状を有していてもよい。
台紙５の剥離剤層６は、シリコーン系の化合物、アルキルペンダントポリマー系および縮合ワックス系などの剥離剤処理を施したものである。
【００２８】
とくに図１に示すように、リストバンド用ラベル１は、その基材２の部分をリストバンド型抜き部１０において打ち抜くことにより、リストバンド１１とカス取り部１２とに分離可能としている。したがって、既述のようにリストバンド１１部分を台紙５から剥離するとともに、カス取り部１２から分離することにより、リストバンド１１を得ることができる。
【００２９】
リストバンド１１は、ほぼ中央部の太幅の印字領域部１３と、その左右にそれぞれ延伸する細幅の長さ調節部１４およびバンド固定部１５と、を有する。すなわち、リストバンド１１は、患者の肌に長時間かつ直接触れることから、長さ調節部１４およびバンド固定部１５は印字領域部１３の部分よりも幅方向に狭くこれを形成し、肌との接触面積を小さくして通気性を向上させている。
また、リストバンド１１は、全体の隅部を丸く形成して、肌との接触を滑らかにしている。
なお、長さ調節部１４およびバンド固定部１５には、血液型などに応じて事前に取り決めた色彩をプレ印刷によって施すこともできる。
【００３０】
印字領域部１３には、患者を特定するための個人識別用の印字情報７であるＩＤ番号、性別、名称、生年月日、血液型、担当医の氏名や、バーコード、二次元コードなどの情報をバーコードプリンターなどの印字装置によって印字可能とし、患者の取り違えなどに伴う過誤診療を防止するための諸情報とすることができる。
長さ調節部１４には複数個の長さ調節用係止孔１６を形成し、バンド固定部１５には複数個のバンド固定用係止孔１７を形成している。
なお基材２の素材としてポリエチレンあるいはその共重合体などを選択した場合には、ポリエチレンが非極性の樹脂で印字のインキの密着性に劣るため、基材２の表面に易接着処理たとえばコロナ放電処理などを施すことにより表面の粗さを増し、熱転写リボンのインキの定着性ないし印字適性を向上させて、印字領域部１３への印字安定性を確保可能である。この易接着処理としては、コロナ放電処理以外にも、たとえば印字のためのインキとの親和性を有する各種の接着剤を塗布する処理などを行うこともできる。
【００３１】
図３は、図２のさらなる拡大断面図であって、基材２、擬似接着剤層３（エンボス層４）および台紙５の厚さ寸法を示すものである。
すなわち、基材２は、所定の柔軟性および強靱さを確保するためにこれをポリエチレンあるいはその共重合体から構成することが望ましく、リストバンド用ラベル１全体としては、基材２をポリエチレンから構成した場合には、製作ないし加工工程および印字行程における必要な剛性から、その厚さをたとえば３８０μｍとすることが望ましい。また、台紙５の厚さをたとえば６０μｍとすることが望ましい。
基材２の厚さを、２００μｍ〜３００μｍとすることが望ましい。厚さが２００μｍ未満では必要な剛性を得ることができず、厚さが３００μｍをこえると硬度が増し柔軟性が低下して肌への接触ソフト感が低下する。
たとえば、リストバンド用ラベル１全体の厚さを３８０μｍとして、台紙５の厚さを６０μｍとし、基材２およびエンボス層４（擬似接着剤層３）の合計厚さを３４０μｍとしたときに、エンボス層４の高さないし深さは、（３４０＋６０）−３８０＝２０μｍ、となる。
また、基材２の厚さを２００μｍ〜３００μｍの範囲で任意に選択したときに、リストバンド用ラベル１全体の厚さを３８０μｍとして、台紙５の厚さを６０μｍとし、基材２およびエンボス層４（擬似接着剤層３）の合計厚さたとえば３４０μｍの範囲で、エンボス層４の高さないし深さを任意に設計することができる。
【００３２】
図４は、エンボス層４部分の基材２の裏面側から見た概略斜視図であって、エンボス層４は、その粗さを＃５０〜＃２００とすることが望ましい。すなわち、１インチあたり５０〜２００個の凸部１８（あるいは凹部１９）を有する程度の粗さである。図４には、凸部１８ないし凹部１９の寸法の一例を示している。
この粗さが＃５０以下すなわち、粗すぎると、擬似接着剤層３の形成（押出し成型）時に、たとえばポリエチレンの押出し供給量がほぼ一定量で限界があるためエンボス層４の粗さに応じた供給量が不足して、その成型が不十分となり、擬似接着が不安定となる結果、印字する場合のプラテンローラーの圧力不足や加工時の抜き圧力不足につながる。
逆に粗さが＃２００以上すなわち、細かすぎると、リストバンド型抜き部１０と肌との皮膚接触部分の粗さに欠けるため、長期間使用時の皮膚の蒸れやかぶれの原因となる。
【００３３】
こうした構成のリストバンド用ラベル１からリストバンド１１を分離剥離して、患者の手首や足首にリストバンド１１を取り付けるには、患者の取付け部位に巻回して、そのサイズにあった長さ調節用係止孔１６およびバンド固定用係止孔１７をあわせ、留め具（図示せず）を挿通して固定する。
【００３４】
リストバンド１１は、エンボス形状（エンボス層４）を有する擬似接着剤層３を形成しているため、リストバンド１１を手首や足首に取り付けたときに肌との間に空間ができるため、通気性がよい。また、リストバンド１１（基材２）の材料として、ポリエチレンあるいはその共重合体などを使用しているため、皮膚への刺激がないために長時間使用しても蒸れやかぶれになりにくい特性を有する。
【００３５】
図５は、リストバンド用ラベル１の印字領域部１３に所定の情報を印字するための熱転写方式のバーコードプリンター２１の概略側面図であって、バーコードプリンター２１は、サーマルヘッド２２と、プラテンローラー２３と、熱転写リボン２４と、を有し、サーマルヘッド２２とプラテンローラー２３との間に熱転写リボン２４を介してリストバンド用ラベル１を挟持しながら移送して基材２表面の印字領域部１３に所望の印字情報７を印字可能としている。なおプリンターとしては、インクジェット方式その他任意の方式のプリンターを採用可能である。
【００３６】
本発明によるリストバンド用ラベル１は、柔らかい合成樹脂製の基材２に擬似接着剤層３として形成したエンボス層４を有し、この擬似接着剤層３に係合する台紙５を仮着してバーコードプリンター２１などに装填するようにしたため、リストバンド用ラベル１の剛性ないし丈夫さを増し、使用にあたっても、とくに応力がかかりやすい長さ調節用係止孔１６やバンド固定用係止孔１７の部分から破けることも防止可能である。
さらに、プレ印刷やダイカットあるいは小巻仕上げなどの製品加工を実行しやすくすることができるとともに、バーコードプリンター２１におけるリストバンド用ラベル１の移送性能を安定させ、印字発行上のトラブルを防止することができる。
とくに、リストバンド１１の基材２の厚さを２００μｍ〜３００μｍの範囲において選択することにより、必要な柔軟性を確保しつつ、十分な剛性も保持して人体への長時間の装着に適したものとすることができる。
【００３７】
さらに、リストバンド用ラベル１は、基材２の材料として、熱転写リボン２４のインキとの相性が良好なポリエチレンあるいはその共重合体などの合成樹脂製のフィルム基材を採用すれば、擦れや水の付着などによっても印字情報を良好な印字品質のままで保持することができる。
【図面の簡単な説明】
【００３８】
【図１】本発明の実施例によるリストバンド１１（第二の発明）およびリストバンド用ラベル１（第一の発明）の平面図である。
【図２】図１のＩＩ−ＩＩ線断面図である。
【図３】図２のさらなる拡大断面図である。
【図４】同、エンボス層４部分の基材２の裏面側から見た概略斜視図である。
【図５】リストバンド用ラベル１の印字領域部１３に所定の情報を印字するための熱転写方式のバーコードプリンター２１の概略側面図である。
【符号の説明】
【００３９】
１  リストバンド用ラベル（第二の発明、図１、図２）
２  基材
３  擬似接着剤層
４  エンボス層
５  台紙
６  剥離剤層
７  印字情報
１０  リストバンド型抜き部（図１）
１１  リストバンド（第一の発明、図１、図２）
１２  カス取り部
１３  印字領域部
１４  長さ調節部
１５  バンド固定部
１６  長さ調節用係止孔
１７  バンド固定用係止孔
１８  エンボス層４の凸部
１９  エンボス層４の凹部
２１  バーコードプリンター（図５）
２２  サーマルヘッド
２３  プラテンローラー
２４  熱転写リボン
【図１】
2005080851.tif 000003
【図２】
2005080851.tif 000004
【図３】
2005080851.tif 000005
【図４】
2005080851.tif 000006
【図５】
2005080851.tif 000007